(57)【要約】  本発明は、表示のメモリ性を有し、パッシブ駆動方式で画像を書換える表示装置、その駆動方法及び電子機器に関し、パッシブ駆動方式で画面の表示書換えを行う場合であっても、キー入力やタッチパネルを用いたペン入力が可能な表示装置、その駆動方法及び電子機器を提供することを目的とする。  液晶表示素子１は、メモリ表示データＭＤを表示するメモリ性を有する画像表示領域Ｃと、画像表示領域Ｃにおいて入力表示データＯＤを表示するデータ表示領域Ａとを有し、画像表示領域Ｃとデータ表示領域Ａを同一の表示パネル６に含む。
2009087756.tif 000002
【特許請求の範囲】
【請求項１】
第１の表示データを表示するメモリ性を有する第１の表示領域と、
前記第１の表示領域と隣り合い、第２の表示データを表示する第２の表示領域とを有し、
前記第１の表示領域と前記第２の表示領域を同一の表示パネルに含む
ことを特徴とする表示装置。
【請求項２】
前記第２の表示データを前記第２の表示領域に表示するための入力手段をさらに有すること
を特徴とする請求項１記載の表示装置。
【請求項３】
前記入力手段が、タッチパネルであること
を特徴とする請求項２記載の表示装置。
【請求項４】
前記入力手段が、キー入力による装置であること
を特徴とする請求項２記載の表示装置。
【請求項５】
前記第１の表示領域と前記第２の表示領域が、同一のコレステリック液晶を用いていること
を特徴とする請求項１記載の表示装置。
【請求項６】
前記第２の表示データを表示する場合に前記第２の表示領域を駆動状態とする制御回路をさらに有すること
を特徴とする請求項５記載の表示装置。
【請求項７】
前記制御回路は、前記第１の表示領域と前記第２の表示領域との表示を個別に制御すること
を特徴とする請求項６記載の表示装置。
【請求項８】
前記第１の表示領域を駆動する第１の駆動回路と、
前記第２の表示領域を駆動する第２の駆動回路とをさらに有すること
を特徴とする請求項７記載の表示装置。
【請求項９】
第１の表示データを表示するメモリ性を有する第１の表示領域が第１の駆動条件で動作し、
前記第１の表示領域と隣り合い、第２の表示データを表示する第２の表示領域が第２の駆動条件で動作する
ことを特徴とする表示装置の駆動方法。
【請求項１０】
前記第２の表示データがタッチパネルにより入力されること
を特徴とする請求項９記載の表示装置の駆動方法。
【請求項１１】
前記第２の表示データがキー入力により入力されること
を特徴とする請求項９記載の表示装置の駆動方法。
【請求項１２】
前記第１の駆動条件は、少なくとも前記第１の表示領域をメモリ状態として表示する条件であって、前記第２の駆動条件は、前記第２の表示領域の表示を随時変える書換状態とする条件であること
を特徴とする請求項１０記載の表示装置の駆動方法。
【請求項１３】
前記第２の表示領域に、前記第２のデータに基づく画像を表示させる際に、前記第１の表示領域または／および前記第２の表示領域を再表示すること
を特徴とする請求項１２記載に表示装置の駆動方法。
【請求項１４】
前記第２の駆動条件における表示速度は、前記第１の駆動条件における表示速度よりも速いこと
を特徴とする請求項９記載の表示装置の駆動方法。
【請求項１５】
前記第２の表示領域は、前記第２の表示データを表示する際はリアルタイム駆動であること
を特徴とする請求項１４記載の表示装置の駆動方法。
【請求項１６】
前記第２の表示領域は、前記第２の表示データを表示する際は２値表示であること
を特徴とする請求項１５記載の表示装置の駆動方法。
【請求項１７】
マトリクス状電極を用いたメモリ性を有する複数の表示パネルを積層し、それぞれの前記表示パネルを個別にパッシブ駆動可能な表示装置において、
前記各表示パネルの走査ラインを順次、選択して表示する第１の表示モードと、
前記各表示パネルの走査ラインのうち、選択せずにライン走査をスキップする非選択走査ラインと選択してライン走査する選択走査ラインとを設定し、選択走査ラインのみを順次、選択して表示する第２の表示モードとを有する
ことを特徴とする表示装置。
【請求項１８】
前記第２の表示モードでは、少なくとも前記非選択走査ラインに対応する全ての画素を同一の表示状態に揃えた後に、前記選択走査ラインのライン走査を開始すること
を特徴とする請求項１７記載の表示装置。
【請求項１９】
前記第２の表示モードでは、視野方向から見たときの前記非選択走査ラインの位置を、前記表示パネルごとにずらすこと
を特徴とする請求項１７又は１８記載の表示装置。
【請求項２０】
前記複数の前記表示パネルは、特定の可視光を選択反射するプレーナ状態と、透明なフォーカルコニック状態とを切り替えて表示を行うコレステリック液晶を用いていること
を特徴とする請求項１７乃至１９のいずれか１項に記載の表示装置。
【発明の詳細な説明】
【技術分野】
【０００１】
本発明は、表示のメモリ性を有し、パッシブ駆動方式で画像を書換える表示装置、その駆動方法及び電子機器に関する。
【背景技術】
【０００２】
近年、各企業及び各大学等において、電子ペーパーの開発が盛んに進められている。電子ペーパーが期待されている応用市場として、電子書籍を筆頭に、モバイル端末機器のサブディスプレイやＩＣカードの表示パネル等、多用な応用携帯機器が提案されている。電子ペーパーの有力な表示方式の１つに、コレステリック相が形成される液晶組成物（コレステリック液晶）を用いた表示素子がある。コレステリック液晶は、半永久的な表示保持特性（メモリ性）、鮮やかなカラー表示特性、高コントラスト特性、及び高解像度特性等の優れた特徴を有している。【０００３】
コレステリック液晶は双安定性（メモリ性）を備えており、液晶に印加する電界強度の調節によりプレーナ状態、フォーカルコニック状態又はプレーナ状態とフォーカルコニック状態とが混在した中間的な状態のいずれかの状態をとることができ、一旦プレーナ状態又はフォーカルコニック状態になると、その後は無電界下においても安定してその状態を保持する。【０００４】
プレーナ状態は、所定の高電圧を印加して液晶に強電界を与えた後に急激に電界をゼロにすることにより得られる。フォーカルコニック状態は、例えば、上記高電圧より低い所定電圧を印加して液晶に電界を与えた後に急激に電界をゼロにすることにより得られる。プレーナ状態とフォーカルコニック状態とが混在した中間的な状態は、例えば、フォーカルコニック状態が得られる電圧よりも低い電圧を印加して液晶に電界を与えた後、急激に電界をゼロにすることにより得られる。【０００５】
このコレステリック液晶を用いた液晶表示素子の表示原理を、青色を表示するＢ表示パネル４６ｂを例にとって図１６を用いて説明する。図１６（ａ）は、Ｂ表示パネル４６ｂのＢ用液晶層４３ｂがプレーナ状態におけるコレステリック液晶の液晶分子３３の配向状態を示す図である。図１６（ｂ）は、Ｂ表示パネル４６ｂのＢ用液晶層４３ｂがフォーカルコニック状態におけるコレステリック液晶の液晶分子３３の配向状態を示す図である。【０００６】
図１６（ａ）に示すように、プレーナ状態での液晶分子３３は、基板厚方向に順次回転して螺旋構造を形成し、螺旋構造の螺旋軸は上基板４７ｂ及び下基板４９ｂの基板面にほぼ垂直になる。プレーナ状態では、液晶分子の螺旋ピッチに応じた所定波長の光が選択的に液晶層で反射される。液晶層の平均屈折率をｎとし、螺旋ピッチをｐとすると、反射が最大となる波長λは、λ＝ｎ・ｐで示される。【０００７】
従って、Ｂ表示パネル４６ｂのＢ用液晶層４３ｂでプレーナ状態時に青色の光を選択的に反射させるには、例えばλ＝４８０ｎｍとなるように平均屈折率ｎ及び螺旋ピッチｐを決める。平均屈折率ｎは液晶材料及びカイラル材を選択することで調整可能であり、螺旋ピッチｐは、カイラル材の含有率を調整することにより調節することができる。【０００８】
一方、図１６（ｂ）に示すように、フォーカルコニック状態での液晶分子３３は、基板面内方向に順次回転して螺旋構造を形成し、螺旋構造の螺旋軸は基板面にほぼ平行になる。フォーカルコニック状態では、Ｂ用液晶層４３ｂに反射波長の選択性は失われ、入射光の殆どが透過する。透過光は、例えば、Ｂ表示パネル４６ｂの下基板４９ｂ裏面に配置された可視光吸収層（不図示）で吸収されるので暗（黒）表示が実現できる。【０００９】
このように、コレステリック液晶では、螺旋状に捻られた液晶分子３３の配向状態で光の反射透過を制御することができる。上記のＢ用液晶層４３ｂと同様にして、緑色を表示するＧ用液晶層及び赤色を表示するＲ用液晶層に、プレーナ状態時に緑又は赤の光を選択的に反射させるコレステリック液晶をそれぞれ封止してフルカラー表示の表示パネルが作製される。【００１０】
図１７は、Ｂ用液晶層、Ｇ用液晶層及びＲ用液晶層のプレーナ状態での反射スペクトルの一例を示す図である。横軸は、反射光の波長（ｎｍ）を表し、縦軸は、反射率（白色板比；％）を表している。Ｂ用液晶層４３ｂ（図１６参照）での反射スペクトルは図中▲印を結ぶ曲線で示されている。同様に、Ｇ用液晶層での反射スペクトルは■印を結ぶ曲線で示し、Ｒ用液晶層での反射スペクトルは◆印を結ぶ曲線で示している。【００１１】
図１７に示すように、各液晶層のプレーナ状態での反射スペクトルの中心波長は、Ｂ、Ｇ、Ｒの順に長くなるので、コレステリック液晶の螺旋ピッチは、Ｂ用液晶層、Ｇ用液晶層及びＲ用液晶層の順に長くなる。このため、各液晶層におけるコレステリック液晶のカイラル材の含有率は、Ｂ用液晶層、Ｇ用液晶層及びＲ用液晶層の順に低くする必要がある。【００１２】
一般に、反射波長が短くなるほど、液晶分子を強く捻って螺旋ピッチを短くする必要があるのでコレステリック液晶中のカイラル材の含有率は高くなる。また、一般に、カイラル材の含有率が高くなるほど駆動電圧が高くなる傾向がある。また、反射帯域幅Δλはコレステリック液晶の屈折率異方性Δｎが大きくなるに従って大きくなる。【００１３】
コレステリック液晶を用いた反射型表示パネルを用いた表示装置は、表示のメモリ性を有するため、表示画素数が多い場合であっても、マトリクス状電極を用いたパッシブ駆動方式が可能である。パッシブ駆動の反射型表示パネルは、アクティブ駆動方式に比べて表示応答速度が遅い。このため、アクティブ駆動方式のＴＦＴ液晶表示パネルの上にパッシブ駆動方式の反射型表示パネルを積層し、速い表示応答速度が要求される画像をＴＦＴ液晶表示パネルに表示させる表示装置が提案されている（例えば、特許文献１参照）。また、同様の理由により、反射型液晶パネルとＴＦＴ液晶表示パネルとを一つの表示画面内の上下に備えた携帯電話機が提案されている（例えば、特許文献２参照）。
【特許文献１】特開２００６−２４３３２９号公報
【特許文献２】特開２００１−１００６６９号公報
【発明の開示】
【発明が解決しようとする課題】
【００１４】
しかしながら、上記従来技術による表示装置は、パッシブ駆動方式の表示パネルだけでなく、表示応答速度が速いアクティブ駆動方式の表示パネルを備えなくてはならない。このため、当該表示装置は、部品点数が多く、構造が複雑になり、製造コストが高くなってしまう。【００１５】
また、パッシブ駆動方式による表示パネルのみで画像を表示すると、特に表示画面が大画面である場合に走査ライン数が多くなる。これにより、走査時間が長くなり、画面の表示書換えに時間がかかってしまう。このため、キー入力やタッチパネルによるペン入力を行った場合に、キー入力やペン入力による入力の速さに走査ラインの走査が追随できなくなってしまうという問題がある。【００１６】
本発明の目的は、パッシブ駆動方式で画面の表示書換えを行う場合であっても、キー入力やタッチパネルを用いたペン入力が可能な表示装置、その駆動方法及び電子機器を提供することにある。
【課題を解決するための手段】
【００１７】
上記目的は、第１の表示データを表示するメモリ性を有する第１の表示領域と、前記第１の表示領域と隣り合い、第２の表示データを表示する第２の表示領域とを有し、前記第１の表示領域と前記第２の表示領域を同一の表示パネルに含むことを特徴とする表示装置によって達成される。【００１８】
また、上記目的は、第１の表示データを表示するメモリ性を有する第１の表示領域が第１の駆動条件で動作し、前記第１の表示領域と隣り合い、第２の表示データを表示する第２の表示領域が第２の駆動条件で動作することを特徴とする表示装置の駆動方法によって達成される。【００１９】
さらに、上記目的は、上記本発明の表示装置を有することを特徴とする電子機器によって達成される。
【発明の効果】
【００２０】
本発明によれば、パッシブ駆動方式で画面の表示書換えを行う場合であっても、キー入力やタッチパネルを用いたペン入力が可能な表示装置及びそれを用いた電子機器を実現できる。
【図面の簡単な説明】
【００２１】
【図１】第１の実施の形態に係る液晶表示素子の概略構成を示すブロック図である。
【図２】図１に示す図中左右方向に平行な直線Ｘ−Ｘで表示パネルを切断した断面を模式的に示す図である。
【図３】コレステリック液晶の電圧−反射率特性の一例を示す図である。
【図４】画像をメモリ表示中の表示ブロックを示す平面図である。
【図５】入力表示データＯＤに基づく画像を表示中の表示ブロックを示す平面図である。
【図６】第２の実施の形態に係る表示パネルを示す平面図である。
【図７】第２の実施の形態に係る走査電極及びデータ電極を示す平面図である。
【図８】第３の実施の形態に係る表示ブロックを示す断面図である。
【図９】第３の実施の形態に係る操作部によりデータを入力している様子を示す表示ブロックの平面図である。
【図１０】入力されたデータを表示している表示ブロックの平面図である。
【図１１】画像を上方に移動させて表示している表示パネルを示す平面図である。
【図１２】第４の実施の形態に係る表示パネルを示す平面図である。
【図１３】第５の実施の形態に係る液晶表示素子の概略構成を示すブロック図である。
【図１４】図１３に示す図中左右方向に平行な直線Ｙ−Ｙで表示パネルを切断した断面を模式的に示す図である。
【図１５】液晶表示素子を備えた電子機器としての表示端末を示す平面図である。
【図１６】図１６（ａ）は、Ｂ表示パネルのＢ用液晶層がプレーナ状態におけるコレステリック液晶の液晶分子の配向状態を示す図である。図１６（ｂ）は、Ｂ表示パネルのＢ用液晶層がフォーカルコニック状態におけるコレステリック液晶の液晶分子の配向状態を示す図である。
【図１７】Ｂ用液晶層、Ｇ用液晶層及びＲ用液晶層のプレーナ状態での反射スペクトルの一例を示す図である。
【符号の説明】
【００２２】
１、１０１、２０１、３０１、４０１  液晶表示素子（表示装置）
１ａ  回路ブロック
１ｂ、１０１ｂ、２０１ｂ、３０１ｂ、４０１ｂ  表示ブロック
３  液晶層
６  表示パネル
６Ｂ  Ｂ表示パネル
６Ｙ−Ｙ表示パネル
６Ｒ  Ｒ表示パネル
７  上基板
８  タッチパネル
９  下基板
１０  入力ペン
１５  可視光吸収層
１７  走査電極
１９  データ電極
２５  コモンドライバ
２５Ａ  第２のコモンドライバ（第２の駆動回路）
２５Ｂ  第１のコモンドライバ（第１の駆動回路）
２５Ｃ  コモンドライバ
２５Ｅ  第３のコモンドライバ（第２の駆動回路）
２７  セグメントドライバ
２８  電源部
３０  制御回路
３１  電源
３２  昇圧部
３３  液晶分子
３４  電圧生成部
３５  電圧安定部
３６  源振クロック部
３７  分周回路部
４０  画像データ記憶部
４０Ａ  入力データ記憶部
４０Ｂ  メモリ表示データ記憶部
４０Ｃ  通常表示用データ記憶部
４０Ｄ  高速表示用データ記憶部
４１  駆動条件記憶部
４２  操作部（入力手段）
４３ｂ  Ｂ用液晶層
４６ｂ  Ｂ表示パネル
４７ｂ  上基板
４９ｂ  下基板
５０  表示モード設定部
６０  表示端末
６１  通常送り／戻しキー
６２  早送り／戻しキー
Ａ  データ表示領域（第２の表示領域）
Ｂ  メモリ表示領域（第１の表示領域）
Ｃ  画像表示領域
Ｅ  データ表示領域（第２の表示領域）
ＭＤ  メモリ表示データ（第１の表示データ）
ＯＤ  入力表示データ（第２の表示データ）
【発明を実施するための最良の形態】
【００２３】
〔第１の実施の形態〕
本発明の第１の実施の形態による表示装置について図１乃至図５を用いて説明する。本実施の形態では、表示装置として緑色用コレステリック液晶を用いた液晶表示素子を例にとって説明する。図１は、本実施の形態による液晶表示素子の概略構成を示すブロック図である。また、図２は、図１に示す図中左右方向に平行な直線Ｘ−Ｘで表示パネルを切断した断面を模式的に示す図である。
液晶表示素子（表示装置）１は、電子機器等に内蔵され、図１に示すように、回路ブロック１ａと表示ブロック１ｂとを有している。回路ブロック１ａは、電源部２８と、操作部（入力手段）４２と、画像データ記憶部４０と、源振クロック部３６と、分周回路部３７と、制御回路３０とを有している。【００２４】
一方、表示ブロック１ｂは、表示パネル６、コモンドライバ２５及びセグメントドライバ２７を有している。本実施形態における表示パネル６は、画像が表示される画像表示領域Ｃを備えている。この画像表示領域Ｃは、データ表示領域（第２の表示領域）Ａと、メモリ表示領域（第１の表示領域）Ｂとの２つの領域に分割されている。
データ表示領域Ａは、ユーザが操作部４２を操作することによって生成された文字データ等に基づく画像を表示可能な領域である。
メモリ表示領域Ｂは、データ表示領域Ａと隣り合い、主に画像のメモリ表示に用いられる領域である。【００２５】
操作部４２は、表示パネル６上に積層配置されるタッチパネルであり、入力信号処理回路等を備えている。入力信号処理回路は、ユーザによるタッチパネルの操作を電気信号に変換して画像データを生成する。操作部４２は、生成された画像データを画像データ記憶部４０に出力する。液晶表示素子１は、操作部４２を備えることにより、ユーザによるタッチパネルの操作に基づく画像をデータ表示領域Ａに表示可能になっている。タッチパネルは、抵抗膜方式、赤外線方式、容量結合方式、超音波方式、あるいは、電磁誘導方式等の公知の技術を用いることができ、また、それぞれの方式に最適な位置に配置できる。本実施の形態では、操作部４２にタッチパネルを用いているが、タッチパネルに代えて、キーボードやボタン等のキー入力による装置を用いていてもよい。【００２６】
電源部２８は、電源３１と、昇圧部３２と、電圧生成部３４と、電圧安定部（レギュレータ）３５とを有している。電源３１は、バッテリであり直流の電圧を出力する。昇圧部３２は例えばＤＣ−ＤＣコンバータを有し、電源３１から入力されて、例えば、直流３Ｖ（ボルト）〜５Ｖの入力電圧を表示パネル６の駆動に必要な直流３０Ｖ〜４０Ｖ前後の電圧に昇圧する。電圧生成部３４は、昇圧部３２で昇圧された電圧と入力電圧とを用いて、各画素の階調値や選択／非選択の別に応じて必要な複数レベルの電圧を生成する。電圧安定部３５は、ツェナーダイオードやオペアンプ等を有し、電圧生成部３４で生成された電圧を安定化させ、表示ブロック１ｂに備えられたコモンドライバ２５及びセグメントドライバ２７に供給するようになっている。電源３１は、昇圧部３２の他に制御回路３０、源振クロック部３６、分周回路部３７にも所定の電圧を供給するようになっている。【００２７】
画像データ記憶部４０は、システム側や操作部４２から入力された画像データを記憶し、制御回路３０の制御下で画像データを制御回路３０に出力する。画像データ記憶部４０は、入力データ記憶部４０Ａと、メモリ表示データ記憶部４０Ｂとを備えている。
入力データ記憶部４０Ａは、操作部４２から取得した画像データである入力表示データ（第２の表示データ）ＯＤを記憶する。この入力データ記憶部４０Ａは、制御回路３０の制御下で、記憶した入力表示データＯＤを制御回路３０に出力する。
メモリ表示データ記憶部４０Ｂは、システム側から取得した画像データであるメモリ表示データ（第１の表示データ）ＭＤを記憶する。このメモリ表示データ記憶部４０Ｂは、制御回路３０の制御下で、記憶したメモリ表示データＭＤを制御回路３０に出力する。【００２８】
源振クロック部３６は、クロック信号を発生させ、分周回路部３７に出力する。
分周回路部３７は、走査速度の切換えのために、源振クロック部３６から出力されるクロック信号を入力して所定の分周比で分周されたクロック信号を出力する。分周回路部３７には制御回路３０から走査速度を制御するビット配列が入力され、当該ビット配列の値に応じて走査速度を制御するカウンタ分周比が変調するようになっている。具体的には、分周回路部３７内部の不図示の分周カウンタの初期値を走査毎に切換える。【００２９】
制御回路３０は、図示せぬプロセッサ等を備え、液晶表示素子１全体を制御する。制御回路３０は、コモンドライバ２５及びセグメントドライバ２７を介して表示パネル６の走査速度や駆動電圧を切換えて表示パネル６の画像表示領域Ｃに画像を表示させたり、画像表示領域Ｃのリセット処理を実行したりする。表示パネル６は、マトリクス状に配列された走査電極１７及びデータ電極１９（図２参照）を用いたパッシブ駆動方式により駆動される。
制御回路３０は、表示パネル６にコモンドライバ２５及びセグメントドライバ２７を介して駆動パルスにより電圧を表示パネル６に印加する。制御回路３０は、略等間隔に配列された線状の走査電極１７を順次走査する線順次駆動方式で表示パネル６を制御する。これにより、制御回路３０は、表示パネル６を駆動して画像を表示させる。【００３０】
駆動パルスの電圧を印加する印加時間は、制御回路３０がコモンドライバ２５の走査速度を制御して変更することによって変更される。このとき、制御回路３０は、コモンドライバ２５の走査タイミングに同期させて画像データに基づく所定の電圧を表示パネル６に出力するようにセグメントドライバ２７を制御する。また、制御回路３０は、電圧生成部３４に対して電圧の変更を指示し、この指示に基づいて電圧生成部３４がコモンドライバ２５及びセグメントドライバ２７に供給する電圧を制御することによって、駆動パルスの電圧を変更する。【００３１】
制御回路３０は、駆動パルスを生成するための、電圧とこの電圧を印加する印加時間とからなる駆動条件を駆動条件記憶部４１に格納している。この駆動条件記憶部４１は、複数の異なる駆動条件が格納している。駆動条件記憶部４１は、少なくともメモリ表示領域Ｂをメモリ状態としてメモリ表示する第１の駆動条件と、データ表示領域Ａの表示を随時変える書換状態とする第２の駆動条件とを少なくとも格納している。
第１の駆動条件に対応する駆動波形データＢは、多値駆動により画像を表示させることにより、データ表示領域Ａ及びメモリ表示領域Ｂに中間調を表示できるようになっている。
一方、第２の駆動条件に対応する駆動波形データＡは、２値駆動により画像を表示させることにより、データ表示領域Ａ及びメモリ表示領域Ｂに中間調を含まない緑色あるいは黒色のみを表示できるようになっている。このため、２値駆動である第２の駆動条件における表示速度は、多値駆動である第１の駆動条件における表示速度よりも速くなる。ここで、第２の駆動条件では、制御回路３０は、少なくともデータ表示領域Ａの表示を随時変える書換状態となっている。この書換状態では、表示された画像を短い間隔で次々と新たな画像に書換えられるため、例えば、動画を表示させることができる。【００３２】
制御回路３０は、画像データ記憶部４０から読出した表示パネル６の画像表示領域Ｃに表示する画像の画像データと駆動条件記憶部４１から取得した駆動条件に対応する駆動波形データとに基づいて制御信号としての駆動データＤＡ、ＤＢ、ＤＤを生成する。制御回路３０は、データ読込みクロック信号に同期させて、駆動データＤＡ、ＤＢをコモンドライバ２５に出力すると共に、生成したデータ電極駆動データＤＤをセグメントドライバ２７に出力するように制御する。これにより、選択した駆動条件に基づいて生成された駆動パルスが表示パネル６に印加される。
このとき、制御回路３０は、データ表示領域Ａに対応する走査電極Ａ駆動データＤＡとメモリ表示領域Ｂに対応する走査電極Ｂ駆動データＤＢとを個別にコモンドライバ２５に出力する。これにより、制御回路３０は、表示パネル６におけるデータ表示領域Ａとメモリ表示領域Ｂとの表示を個別に制御することができる。【００３３】
上述したように、制御回路３０は、電圧生成部３４に対して電圧の変更を指示するとともに、コモンドライバ２５に駆動データを出力することによって走査速度を変更させる。制御回路３０は、スキャン方向信号、パルス極性制御信号、フレーム開始信号、データラッチ・スキャンシフト、ドライバ出力オフなどのドライバ制御信号を、コモンドライバ２５及びセグメントドライバ２７に出力するようになっている。また、制御回路３０は、画像表示領域Ｃに画像を表示させるための画像データＩＤをセグメントドライバ２７に出力するようになっている。【００３４】
メモリ表示領域Ｂのみ、または、データ表示領域Ａとメモリ表示領域Ｂとの両方に画像をメモリ表示させる場合、制御回路３０は、メモリ表示データ記憶部４０Ｂから読み出したメモリ表示データＭＤと、第１の駆動条件に対応する駆動波形データＢとに基づいて各駆動データＤＡ、ＤＢ、ＤＤを生成する。これにより、制御回路３０は、表示パネル６のデータ表示領域Ａ及びメモリ表示領域Ｂに、メモリ表示データＭＤに基づく画像を中間調を含む多値駆動により表示させることができる。このとき、制御回路３０は、走査電極１７のライン走査を１回あるいは複数回行った後、ライン走査を終了する。例えば、制御回路３０は、全画面を消去、リセットした後、第１の駆動条件に基づく電圧値と電圧印加時間との組み合わせによる駆動パルスで、多値駆動によりライン走査を複数回重ねて行う。ここで、制御回路３０は、ライン選択時間内で画素毎に電圧印加時間を変える所謂パルス幅変調によっても、画像表示領域Ｃに中間調を表示させることができる。
メモリ表示時には、データ表示領域Ａをメモリ表示領域Ｂと同じ第１の駆動条件で駆動させ、メモリ表示する画像を両表示領域Ａ、Ｂを合わせた領域で表示させると表示領域がデータ表示領域Ａの分だけ広くなり、好ましい。【００３５】
データ表示領域Ａに入力表示データＯＤに基づく画像を表示させる場合、制御回路３０は、入力データ記憶部４０Ａから読み出した入力表示データＯＤと、第２の駆動条件に対応する駆動波形データＡとに基づいて各駆動データＤＡ、ＤＤを生成する。制御回路３０は、表示パネル６のデータ表示領域Ａに、入力表示データＯＤに基づく画像を中間調を含まない２値駆動により２値表示させることができる。例えば、駆動波形データＡでは、制御回路３０は、ライン走査時に選択される走査電極１７上に存在する書換えが必要な各画素に、電圧値の異なる２種類の電圧を印加して、画素を黒色から緑色への書換え、あるいは、緑色から黒色への書換えを行わせる。これにより、制御回路３０は、駆動波形データＡでは、駆動波形データＢに比べてライン走査時間が短くなるように制御信号を生成する。このため、制御回路３０は、データ表示領域Ａに表示されている画像を、タッチパネルや入力キー等の操作部４２からの入力データに基づいて、リアルタイムに常時書き換えるリアルタイム駆動を行うことができる。ここで、制御回路３０は、操作部４２による入力データの入力が続いている間、ライン走査を繰り返し行う。【００３６】
液晶表示素子１は、時間を計時するカウンタとしてのタイマ（不図示）を備えていても良い。液晶表示素子１は、タイマを備えることにより、例えば、表示パネル６のリセット処理を開始するタイミングを検知することができる。
また、液晶表示素子１は、設置された場所の外部環境の温度を検知する温度センサ（不図示）を備えていても良い。これにより、制御回路３０は、温度センサが検知した温度に応じて、最適な制御で表示パネル６を制御するための電圧や電圧の印加時間等の駆動条件を変更することができる。【００３７】
表示パネル６は、上述したように、画像表示領域Ｃが、データ表示領域Ａとメモリ表示領域Ｂとの２つの領域に分割されており、それぞれのデータ表示領域Ａ及びメモリ表示領域Ｂのコモンドライバ２５を独立にライン走査できるようになっている。本実施形態では、２つの表示領域Ａ、Ｂの走査電極１７を駆動するコモンドライバ２５は、メモリ表示領域Ｂの走査電極１７を駆動する第１のコモンドライバ（第１の駆動回路）２５Ｂと、データ表示領域Ａの走査電極１７を駆動する第２のコモンドライバ（第２の駆動回路）２５Ａとを備えている。一方、データ表示領域Ａ及びメモリ表示領域Ｂのデータ電極１９を駆動するセグメントドライバ２７は共通である。ここで、コモンドライバ２５を、第１のコモンドライバ２５Ｂと、第２のコモンドライバ２５Ａとに分けずに、例えば、データ表示領域Ａのみを駆動する場合には第１のコモンドライバ２５Ｂに相当する部分のライン走査をスキップしても良い。この場合、コモンドライバ２５は一組の制御信号で制御される。【００３８】
表示パネル６は、図２に示すように、対向配置された一対の上下基板７、９と、両基板７、９間に封止された液晶層３とを有している。この液晶層３は、緑色を選択的に反射するように平均屈折率ｎや螺旋ピッチｐが調整された緑色用コレステリック液晶を有している。これにより、表示パネル６は、電力が供給されない無電力状態で表示した画像を保持することができる。すなわち、表示パネル６は、メモリ表示性を有し、画像をメモリ表示画像としてメモリ表示することができる。
上基板７と下基板９との間は、データ表示領域Ａに対応する部分とメモリ表示領域Ｂに対応する部分とが連通している。すなわち、液晶層３は、データ表示領域Ａとメモリ表示領域Ｂとで同一のコレステリック液晶を用いている。【００３９】
液晶層３を構成する液晶組成物は、ネマティック液晶混合物にキラル性の添加剤、すなわち、カイラル材を数十ｗｔ％、例えば１０ｗｔ％〜４０ｗｔ％添加したコレステリック液晶である。ネマティック液晶にカイラル材を比較的大量に含有させると、ネマティック液晶分子層を強く螺旋状に捻ったコレステリック相を形成することができる。コレステリック液晶はカイラルネマティック液晶とも称される。カイラル材の添加率はネマティック液晶成分とカイラル材との合計量を１００ｗｔ％としたときの値である。ネマティック液晶としては従来公知の各種のものを用いることができるが、コレステリック液晶組成物としての誘電率異方性Δεが２０≦Δε≦５０であることが好ましい。誘電率異方性Δεが２０以上であれば、使用可能なカイラル材の選択範囲は広くなる。また、誘電率異方性Δεが上記範囲より低すぎると、液晶層３の駆動電圧が高くなってしまう。一方、誘電率異方性Δεが上記範囲より高すぎると、表示パネル６としての安定性や信頼性が低下して画像欠陥や画像ノイズが発生し易くなる。【００４０】
コレステリック液晶の屈折率異方性Δｎは画質を支配する重要な物性である。屈折率異方性Δｎの値は、０．１８≦Δｎ≦０．２４であることが好ましい。屈折率異方性Δｎがこの範囲より小さいと、プレーナ状態での液晶層３の反射率が低くなるので明るさが不足した暗い表示となる。一方、屈折率異方性Δｎが上記範囲より大きいと、液晶層３はフォーカルコニック状態での散乱反射が大きくなるので、表示画面の色純度及びコントラストが不足してぼやけた表示になる。さらに、屈折率異方性Δｎが上記範囲より大きいと粘度が高くなるので、コレステリック液晶の応答速度は低下する。【００４１】
コレステリック液晶の比抵抗ρの値は、１０１０≦ρ≦１０１３（Ω・ｃｍ）であることが好ましい。また、コレステリック液晶の粘性は低い方が低温時の電圧上昇やコントラスト低下を抑制できるので好ましい。【００４２】
上基板７及び下基板９は、透光性を有することが必要である。本実施の形態では、２枚のガラス基板を用いている。また、ガラス基板に代えてポリカーボネート（ＰＣ）やポリエチレンテレフタレート（ＰＥＴ）等のフィルム基板を使用することもできる。本実施の形態では、上基板７及び下基板９はいずれも透光性を有しているが、下基板９は不透光性であってもよい。【００４３】
表示パネル６の上基板７の液晶層３側には、図２の図中左右方向に延びる複数の帯状の走査電極１７がストライプ状に並列して形成されている。また、下基板９の液晶層３側には、複数の帯状のデータ電極１９が走査電極１７と交差するようにストライプ状に並列して形成されている。本実施の形態では、インジウム錫酸化物（Ｉｎｄｉｕｍ  Ｔｉｎ  Ｏｘｉｄｅ；ＩＴＯ）からなる透明電極をパターニングしてストライプ状の複数の走査電極１７及び複数のデータ電極１９が形成されている。両電極１７、１９の形成材料としては、例えばＩＴＯが代表的であるが、その他インジウム亜鉛酸化物（Ｉｎｄｉｕｍ  Ｚｉｃ  Ｏｘｉｄｅ；ＩＺＯ）等の透明導電膜やアモルファスシリコン等の光導電性膜等を用いることができる。【００４４】
上下基板７、９の電極形成面を法線方向に見て、両電極１７、１９は、互いに交差して対向配置されている。両電極１７、１９の各交差領域がそれぞれ画素（ピクセル）となる。複数の画素は両電極１７、１９で画定されてマトリクス状に配列され、表示画面を形成している。【００４５】
両電極１７、１９上には機能膜として、それぞれ絶縁性薄膜や液晶分子の配向安定化膜（いずれも不図示）がコーティングされていることが好ましい。絶縁性薄膜は、電極１７、１９間の短絡を防止したり、ガスバリア層として表示パネル６の信頼性を向上させたりする機能を有している。また、配向安定化膜には、ポリイミド樹脂やアクリル樹脂等を用いることができる。本実施の形態では、例えば電極１７、１９上のそれぞれの基板全面には、配向安定化膜が塗布（コーティング）されている。配向安定化膜は絶縁性薄膜と兼用されてもよい。【００４６】
上下基板７、９の外周囲に塗布されたシール材（不図示）により、液晶層３は両基板７、９間に封入されている。また、液晶層３の厚さ（セルギャップ）は均一に保持する必要がある。所定のセルギャップを維持するには、樹脂製又は無機酸化物製の球状スペーサを液晶層３内に散布したり、表面に熱可塑性の樹脂がコーティングされた柱状スペーサを液晶層３内に複数形成したりする。本実施の形態の表示パネル６においても、液晶層３内にスペーサ（不図示）が挿入されてセルギャップの均一性が保持されている。液晶層３のセルギャップｄは、３μｍ（マイクロメートル）≦ｄ≦１０μｍの範囲であることが好ましい。【００４７】
表示パネル６の下基板９の外面（裏面）には、可視光吸収層１５が設けられている。このため、液晶層３がフォーカルコニック状態の際に、表示パネル６の表示画面には黒色が表示される。なお、可視光吸収層１５は必要に応じて設ければよく、下基板９自体を着色しても良い。【００４８】
上基板７には、複数の走査電極１７を個別に駆動する走査電極用ドライバＩＣが実装されたコモンドライバ２５が接続されている。また、下基板９には、複数のデータ電極１９を個別に駆動するデータ電極用ドライバＩＣが実装されたセグメントドライバ２７が接続されている。これらの駆動回路２５、２７は、制御回路３０から出力された駆動データと電圧安定部３５から供給された電圧とに基づいて、パルス状の走査信号やデータ信号を含む駆動パルスを生成する。駆動回路２５、２７は、生成した駆動パルスを所定の走査電極１７あるいはデータ電極１９に出力するように設けられている。【００４９】
図３は、コレステリック液晶の電圧−反射率特性の一例を示す図である。横軸はコレステリック液晶に印加される電圧値（Ｖ）を表し、縦軸はコレステリック液晶の反射率（ａ．ｕ．）を表している。図３に示す実線の曲線Ｐは、初期状態がプレーナ状態におけるコレステリック液晶の電圧−反射率特性を示し、破線の曲線ＦＣは、初期状態がフォーカルコニック状態におけるコレステリック液晶の電圧−反射率特性を示している。【００５０】
フォーカルコニック状態（透明状態）からプレーナ状態（反射状態）への切り替えでは、コレステリック液晶に所定の高電圧ＶＰ１００（例えば、３２Ｖ）を数ｍｓ（ミリ秒）から数十ｍｓの間印加する。強い電界が生じると、液晶分子の螺旋構造は完全にほどけ、全ての液晶分子が電界の向きに従うホメオトロピック状態になる。次に、液晶印加電圧ＶＰ１００を急激にほぼゼロまで下げると、液晶分子は螺旋軸が両電極に対してほぼ垂直な方向に向く螺旋状態になり、螺旋ピッチに応じた光を選択的に反射するプレーナ状態になる。【００５１】
一方、プレーナ状態（反射状態）からフォーカルコニック状態（透明状態）への切り替えでは、コレステリック液晶に、ＶＦ１００ａとＶＦ１００ｂとの間の所定の電圧ＶＦ１００（例えば、２４Ｖ）を数ｍｓから数十ｍｓの間印加した後、液晶印加電圧ＶＦ１００を急激にほぼゼロまで下げる。
液晶分子は螺旋軸が両電極に対してほぼ平行な方向に向く螺旋状態になり、入射光を透過するフォーカルコニック状態になる。なお、ＶＰ１００の電圧を印加して、液晶層に強い電界を生じさせた後に、緩やかに電界を除去しても、コレステリック液晶をフォーカルコニック状態にすることができる。【００５２】
中間調表示は、図３のプレーナ状態からフォーカルコニック状態へ向かう電圧値ＶＦ０〜ＶＦ１００ａの間のカーブ、または、フォーカルコニック状態からホメオトロピック状態へ向かう電圧値ＶＦ１００ｂ〜ＶＰ０の間のカーブを用いて行うことができ、電圧の大きさ及び電圧の印加時間のうち、少なくとも一方を変えることにより任意の中間濃度が得られる。【００５３】
図３に示すコレステリック液晶の電圧−反射率特性は、印加するパルス電圧のパルス幅を一定にして得られているが、パルス電圧のパルス幅を変更することによっても、コレステリック液晶の累積応答特性を得ることができる。例えば、ＶＦ０〜ＶＦ１００ａの電圧範囲内において、電圧値は同じだがパルス幅の異なる２種類のパルス電圧を印加する場合、相対的にパルス幅の長いパルス電圧の印加の方が、パルス幅の短いパルス電圧の印加より反射率をより低くすることができる。【００５４】
次に、液晶表示素子１による表示動作について説明する。
図４は、画像をメモリ表示中の表示ブロックを示す平面図である。図５は、入力表示データＯＤに基づく画像を表示中の表示ブロックを示す平面図である。
図４に示すように、画像表示領域Ｃの全面に画像をメモリ表示する際には、制御回路３０（図１参照）は、先ず、メモリ表示領域Ｂ及びデータ表示領域Ａに多値駆動で中間調を含む画像を多値表示する。具体的には、制御回路３０は、例えば、全画素に３６Ｖの電圧を１０ｍｓ印加させた後に０（ゼロ）Ｖの電圧を急激に印加させて、表示領域Ａ、Ｂの全面で緑色が反射される状態とする。【００５５】
次に、制御回路３０は、走査電極１７の各ラインあたり４０ｍｓの時間でライン走査を１回行う。この間に、制御回路３０は、色を変更する画素に、画像データに基づいたパルス幅（例えば１ｍｓ〜４０ｍｓの間のいずれかの時間）で２４Ｖの電圧を印加した後に０（ゼロ）Ｖの電圧を急激に印加する。これにより、表示領域Ａ、Ｂの画素に中間調の反射濃度が得られる。ここで、コモンドライバ２５によるライン走査は、メモリ表示領域Ｂ、データ表示領域Ａの順に連続して行われる。
表示領域Ａ、Ｂに画像を表示すると、制御回路３０は、表示パネル６に、電圧を印加しない、あるいは、ほとんど印加しないメモリ表示状態とする。【００５６】
データ表示領域Ａ及びメモリ表示領域Ｂをメモリ表示している状態に、操作部４２により入力データが入力されると、制御回路３０は、データ表示領域Ａを駆動状態とし、データ表示領域Ａに対応する走査電極１７のライン走査を行う。
データ表示領域Ａに入力表示データＯＤに基づく新たな画像を表示する場合、制御回路３０は、メモリ表示領域Ｂには、電圧値ＶＦ０（図３参照）以下の電圧のみを印加し、ライン走査を行わない。これにより、図５に示すように、メモリ表示領域Ｂに表示されていたメモリ表示画像がそのまま表示され続ける。このとき、制御回路３０は、データ表示領域Ａには、例えば、全画素に２４Ｖの電圧を１０ｍｓ印加してから０（ゼロ）Ｖの電圧を印加する。これにより、制御回路３０は、データ表示領域Ａの全面を黒色の状態にし、メモリ表示していた画像を消去する。すなわち、制御回路３０は、データ表示領域Ａに、入力表示データＯＤに基づく画像を表示させる際に、データ表示領域Ａを再表示する。このとき、制御回路３０は、メモリ表示領域Ｂの表示も再表示してもよい。【００５７】
次に、制御回路３０は、ライン走査を継続して行う。ここで、１ラインあたり走査電極１７の走査時間を２ｍｓとして、黒色を表示させる画素に２４Ｖ、緑色を表示させる画素に３６Ｖを印加すると、２値駆動により緑色と黒色の２値表示がなされる。このとき、データ表示領域Ａの走査電極１７のライン数を、約５０本以下とすれば、１００ｍｓ以下の応答速度でデータ表示領域Ａに表示される画像が繰り返し書換えられる。これにより、液晶表示素子１による画像の書換え表示は、操作部４２により液晶表示素子１を操作しているユーザによるデータ入力の速さに概ね追随できる。【００５８】
また、データ表示領域Ａに表示される画像のコントラストがやや低くなるが、１ラインあたりの走査時間を１ｍｓとして、さらに応答速度を速めても良い。この場合、画素に印加する電圧値を高めることが好ましい。例えば、制御回路３０は、黒色を表示する画素に３０Ｖの電圧、緑色を表示する画素に５０Ｖの電圧を印加して２値表示を行ってもよい。さらに、走査電極１７の走査するラインを１本おきにすると、応答速度が２倍になる。これらを組み合わせることにより、応答速度を速めることが可能であり、データ表示領域Ａの応答速度を５０ｍｓ以下とし、入力データに対する表示パネル６の表示の追随性を高めたり、画像表示領域Ｃにおけるデータ表示領域Ａの占める範囲の割合（走査ライン数）を増やしたりすることが可能である。【００５９】
ユーザによるデータ入力が終了すると、制御回路３０は、表示パネル６の表示をメモリ表示状態に戻す。このとき、制御回路３０は、データ表示領域Ａにメモリ表示させる画像を多値駆動で表示させ、ライン走査時間が遅いが高品位な表示を行わせる。【００６０】
以上説明したように、本実施の形態によれば、メモリ表示データＭＤに基づく画像を表示するメモリ性を有するメモリ表示領域Ｂと、メモリ表示領域Ｂにおいて入力表示データＯＤに基づく画像を表示するデータ表示領域Ａとを有し、メモリ表示領域Ｂとデータ表示領域Ａとを同一の表示パネル６に含んでいる。これにより、入力表示データＯＤに基づく画像を表示するデータ表示領域Ａのみの表示速度を速くすることができる。このため、パッシブ駆動方式で画面の表示書換えを行う場合であっても、速い入力に走査ラインの走査を追随することができ、キー入力やタッチパネルを用いたペン入力が可能である。【００６１】
〔第２の実施の形態〕
本発明の第２の実施の形態による液晶表示素子について図６及び図７を用いて説明する。図６は、表示パネルを示す平面図であり、図７は、走査電極及びデータ電極を示す平面図である。
本実施の形態に係る液晶表示素子１０１は、第１の実施の形態における液晶表示素子１と略同一の構成を備えており、表示ブロック１０１ｂの構成の一部が第１の実施の形態と異なる。以下、共通部分の符号を同符号とするとともに説明を省略する。【００６２】
本実施の形態に係る表示ブロック１０１ｂは、図６に示すように、表示パネル１０６における画像表示領域Ｃの上下にそれぞれセグメントドライバ２７Ａ、２７Ｂを備えている。セグメントドライバ２７Ａは、表示パネル１０６における画像表示領域Ｃの下側に配置されてコモンドライバ２５Ａに対応している。一方、セグメントドライバ２７Ｂは、画像表示領域Ｃの上側に配置されてコモンドライバ２５Ｂに対応している。【００６３】
各セグメントドライバ２７Ａ、２７Ｂに電気的に接続されるデータ電極は、図７に示すように、データ表示領域Ａとメモリ表示領域Ｂとの境界に対応する位置で分割されている。液晶表示素子１０１は、データ表示領域Ａが形成された側にデータ電極１９Ａ、メモリ表示領域Ｂが形成された側にデータ電極１９Ｂをそれぞれ備えている。各データ電極１９Ａ、１９Ｂは、ストライプ状に配列されており、データ電極１９Ａは走査電極１７Ａと、データ電極１９Ｂは走査電極１７Ｂとそれぞれ交差している。【００６４】
データ表示領域Ａは、コモンドライバ２５Ａ及びセグメントドライバ２７Ｂが、走査電極１７Ａ及びデータ電極１９Ａに電圧を印加することにより駆動される。一方、メモリ表示領域Ｂは、コモンドライバ２５Ｂ及びセグメントドライバ２７Ｂが、走査電極１７Ｂ及びデータ電極１９Ｂに電圧を印加することにより駆動される。【００６５】
第２の実施の形態に係る液晶表示素子１０１によっても、第１の実施の形態に係る液晶表示素子１と同様の効果が得られる。
また、本実施の形態によれば、データ表示領域Ａとメモリ表示領域Ｂとがそれぞれコモンドライバ２５Ａ、２５Ｂ及びセグメントドライバ２７Ａ、２７Ｂを備えている。これにより、制御回路３０は、データ表示領域Ａとメモリ表示領域Ｂとを独立、かつ、同時に駆動させることができる。【００６６】
〔第３の実施の形態〕
本発明の第３の実施の形態による液晶表示素子について図８〜図１０を用いて説明する。図８は、表示ブロックを示す断面図である。
本実施の形態に係る液晶表示素子２０１は、第１の実施の形態における液晶表示素子１と略同一の構成を備えており、表示ブロック２０１ｂの構成の一部が第１の実施の形態と異なる。具体的には、図８に示すように、液晶表示素子２０１は、第１の実施の形態における表示パネル６の構成と略同一であるがそれぞれ表示色のみが異なる３枚の表示パネル６Ｂ、６Ｇ、６Ｒを備えている。以下、共通部分の符号を同符号とするとともに説明を省略する。【００６７】
液晶表示素子２０１は、青（Ｂ）用コレステリック液晶、緑（Ｇ）用コレステリック液晶、および、赤（Ｒ）用コレステリック液晶を用いた表示パネル６Ｂ、６Ｇ、６Ｒが、外光側から、この順に積層されている。外光側から最も遠い側に積層されたＲ表示パネル６Ｒの裏面側には、黒色の可視光吸収層１５が設けられている。最も外光側に積層されたＢ表示パネル６Ｂのさらに外光側には、操作部４２の一部であり、入力ペン１０等が接触した入力位置の座標を特定するためのタッチパネル８が設けられている。【００６８】
各表示パネル６Ｂ、６Ｇ、６Ｒは、それぞれ独立に駆動可能に設けられている。さらに、各表示パネル６Ｂ、６Ｇ、６Ｒには、入力データを表示するための表示領域がそれぞれ形成されている。各表示パネル６Ｂ、６Ｇ、６Ｒの表示領域は、ほぼ重なった位置にある。また、それぞれの表示領域に、ライン走査速度を変えられる独立のコモンドライバ及びセグメントドライバを備えている。各表示パネル６Ｂ、６Ｇ、６Ｒは、操作部４２からの入力データに基づくリアルタイムな表示と、高品位なカラー画像のメモリ表示を両立することができる。【００６９】
次に、液晶表示素子２０１による表示書換え動作について説明する。
図９は、操作部によりデータを入力している様子を示す表示ブロックの平面図である。図１０は、入力されたデータを表示している表示ブロックの平面図である。なお、これら図９及び図１０では、各表示パネル６Ｂ、６Ｇ、６Ｒについて表示パネル６を用いて説明する。
先ず、液晶表示素子２０１の表示ブロック２０１ｂは、第１の実施の形態と同様、図４に示すように、データ表示領域Ａとメモリ表示領域Ｂとを合わせた画像表示領域Ｃに、多値駆動により中間調を含む画像をメモリ表示している。画像表示領域Ｃ全体をメモリ表示している場合には、制御回路３０は、表示パネル６に電圧を印加していない。このとき、制御回路３０は駆動していない状態（ＯＦＦ状態）とし、電力を消費しない方が好ましい。
一方、操作部４２は、液晶表示素子２０１のメインスイッチ（不図示）が入れられて駆動している状態（ＯＮ状態）となっている。これにより、タッチパネル８は、入力待ち状態となっている。【００７０】
次に、図９に示すように、ユーザが入力ペン１０をタッチパネル８に接触させることにより、入力された入力情報に基づく画像を画像表示領域Ｃに表示させる位置が、入力位置として指定される。このとき、制御回路３０等は駆動した状態（ＯＮ状態）となる。ここで、制御回路３０は、画像表示領域Ｃの全面を書換えさせる全面書換え、あるいは、画像表示領域Ｃの画像が変化する部分のみを書換える必要部分書換えにより、表示パネル６におけるタッチパネル８の入力位置の座標に対応する位置に、例えば、リング等を目印として表示させるのが好ましい。これにより、表示パネル６のメモリ表示領域Ｂには、入力表示データＯＤに基づく画像を表示させる位置が表示される。【００７１】
次に、制御回路３０は、表示パネル６のメモリ表示領域Ｂをメモリ表示状態とし、データ表示領域Ａのライン走査を２値駆動で開始する。このとき、ライン走査毎に入力表示データＯＤが生成されており、制御回路３０は、例えば、ユーザの入力ペン１０による入力操作の動きに追随して画像を表示させている。データ表示領域Ａのライン走査は、入力操作が完了して入力情報が確定されるまで継続して行われる。入力操作は、通常のワープロソフト等を用いて、文字の変換、文字の削除、文字サイズや文字の色の指定等を行えるようにするのが好ましい。入力操作は、入力ペン１０による手書きの情報をそのまま入力、あるいは、キー入力を併用して表示してもよい。【００７２】
次に、例えば、データ表示領域Ａあるいはメモリ表示領域Ｂ内に、確定キーのアイコン等を表示させておき、タッチパネル８を用いて確定キーのアイコンを操作することにより、入力情報が確定する。ここで、入力情報を確定させるための確定キーは、液晶表示素子２０１の本体側に操作ボタンとして設けても良い。【００７３】
入力情報が確定されると、制御回路３０は、データ表示領域Ａの表示制御を多値駆動による多値表示に戻す。このとき、入力情報は、縮小された状態で、データ表示領域Ａを２値駆動にする直前に画像表示領域Ｃに表示していた画像に追加される。制御回路３０は、図１０に示すように、入力情報が追加された画像を画像表示領域Ｃに表示させる。ここで、入力情報は、タッチパネル８により指定された入力位置を基準に決定された領域Ｄに表示される。なお、画像表示領域Ｃに新たに表示される画像は、入力情報が確定したときにデータ表示領域Ａに表示されていた画像を、画像表示領域Ｃに表示していた画像の入力位置を基準とした部分と書換えることによって表示されてもよい。
制御回路３０は、入力情報が追加された画像を画像表示領域Ｃに表示させると、メモリ表示状態にする。【００７４】
図１１は、画像を上方に移動させて表示している表示パネルを示す平面図である。
入力情報に基づく画像を表示させる位置として、データ表示領域Ａの領域内が指定された場合には、制御回路３０は、図１１に示すように、画像表示領域Ｃに表示していた画像を上方に移動させて表示させる。このとき、制御回路３０は、例えば、画像表示領域Ｃの全域に表示していた画像の下端が、メモリ表示領域Ｂの下端と一致するようにする。なお、入力情報が確定されると、制御回路３０は、画像の下端が、メモリ表示領域Ｂの下端と一致する元の位置に新たな画像を表示させる。【００７５】
また、入力情報に基づく画像を表示させる位置として、データ表示領域Ａの領域内が指定された場合に、制御回路３０は、画像表示領域Ｃの全域に表示していた画像を縮小、あるいは、縦方向の長さを圧縮するように変形させてもよい。これにより、データ表示領域Ａの領域内が指定され、データ表示領域Ａに入力情報を入力する際に、制御回路３０は、指定された位置を含む画像をメモリ表示領域Ｂ内に表示することができる。【００７６】
第３の実施の形態に係る液晶表示素子２０１によっても、第１の実施の形態に係る液晶表示素子１と同様の効果が得られる。
また、本実施の形態によれば、液晶表示素子２０１は、タッチパネル８により、入力情報を表示させる位置を指定し、入力情報を指定した位置に表示させることができる。これにより、液晶表示素子２０１は、入力情報をデータ表示領域Ａだけでなく、画像表示領域Ｃの任意な位置に表示させることができる。【００７７】
さらに、本実施の形態によれば、液晶表示素子２０１は、画像表示領域Ｃに表示していた画像を上方に移動させてメモリ表示領域Ｂに表示させる。これにより、入力情報に基づく画像を表示させる位置として、データ表示領域Ａの領域内が指定された場合であっても、液晶表示素子２０１は、入力表示データＯＤに基づく画像をデータ表示領域Ａに表示しつつ、確定した画像を表示させる位置をメモリ表示領域Ｂに表示することができる。このため、ユーザは、確定した画像を表示させる位置を確認しながら、入力情報の入力操作を行うことができる。【００７８】
さらにまた、本実施の形態によれば、液晶表示素子２０１は、画像表示領域Ｃに表示していた画像を縮小してメモリ表示領域Ｂに表示させる。これにより、入力情報に基づく画像を表示させる位置として、データ表示領域Ａの領域内が指定された場合であっても、液晶表示素子２０１は、入力表示データＯＤに基づく画像をデータ表示領域Ａに表示しつつ、確定した画像を表示させる位置をメモリ表示領域Ｂに表示することができる。このため、ユーザは、確定した画像を表示させる位置を確認しながら、入力情報の入力操作を行うことができる。【００７９】
また、本実施の形態によれば、液晶表示素子２０１は、表示色の異なる３枚の表示パネル６Ｂ、６Ｇ、６Ｒを備えている。このため、液晶表示素子２０１は、カラー表示が可能である。【００８０】
〔第４の実施の形態〕
本発明の第４の実施の形態による液晶表示素子について図１２を用いて説明する。図１２は、表示パネルを示す平面図である。
本実施の形態に係る液晶表示素子３０１は、第１の実施の形態における液晶表示素子１と略同一の構成を備えており、表示ブロック３０１ｂの構成の一部のみが第１の実施の形態と異なる。以下、共通部分の符号を同符号とするとともに説明を省略する。【００８１】
液晶表示素子３０１のコモンドライバ２５は、第１のコモンドライバ２５Ｂと、第２のコモンドライバ２５Ａとの間に、さらに第３のコモンドライバ２５Ｅを備えている。また、表示パネル３０６の画像表示領域Ｃは、ユーザが操作部４２を操作することによって生成された文字データ等に基づく画像を表示可能なデータ表示領域Ａと、主に画像のメモリ表示に用いられるメモリ表示領域Ｂとの間に、第２のデータ表示領域Ｅを分割して備えている。【００８２】
データ表示領域Ａ及び第２のデータ表示領域Ｅは、メモリ表示データＭＤに基づく画像をメモリ表示させる多値駆動と、入力表示データＯＤに基づく画像を速い走査速度で表示可能な２値駆動との切り替えが可能である。一方、メモリ表示領域Ｂは、メモリ表示データＭＤに基づく画像をメモリ表示させる多値駆動のみ可能である。【００８３】
液晶表示素子３０１は、データ表示領域Ａ、第２のデータ表示領域Ｅ及びメモリ表示領域Ｂのすべての領域が多値駆動により画像をメモリ表示する動作状態と、データ表示領域Ａのみ２値駆動で画像を表示し、第２のデータ表示領域Ｅ及びメモリ表示領域Ｂを駆動させずに画像をメモリ表示する動作状態と、第２のデータ表示領域Ｅのみ２値駆動で画像を表示し、データ表示領域Ａ及びメモリ表示領域Ｂを駆動させずに画像をメモリ表示する動作状態と、データ表示領域Ａ及び第２のデータ表示領域Ｅを２値駆動で画像を表示し、メモリ表示領域Ｂのみを駆動させずに画像をメモリ表示する動作状態との４つの動作状態を選択可能に備えている。
これにより、入力情報に基づく画像を表示させる位置に応じて、制御回路３０は、データ表示領域Ａあるいは第２のデータ表示領域Ｅのいずれかの領域を、入力表示データＯＤに基づく画像を表示する領域として選択することができる。
例えば、図１２に示すように、入力情報に基づく画像を表示させる位置としてデータ表示領域Ａがユーザによって指定された場合に、制御回路３０は、第２のデータ表示領域Ｅを入力表示データＯＤに基づく画像を表示する領域として選択する。ここで、本実施の形態では、入力表示データＯＤに基づく画像を表示する領域は、第２のデータ表示領域Ｅの領域の全体としているが、これに限らず、第２のデータ表示領域Ｅの領域よりも狭めたり、データ表示領域Ａを用いて広げたりしてもよい。【００８４】
第４の実施の形態に係る液晶表示素子３０１によっても、第１の実施の形態に係る液晶表示素子１と同様の効果が得られる。
また、本実施の形態によれば、液晶表示素子３０１は、第１のコモンドライバ２５Ｂと、第２のコモンドライバ２５Ａとの間に、さらに第３のコモンドライバ２５Ｅを備えている。これにより、入力情報に基づく画像を表示させる位置に応じて、液晶表示素子３０１は、入力表示データＯＤに基づく画像を表示する領域を選択することができる。また、データ表示領域Ａの領域内が指定された場合であっても、液晶表示素子２０１は、入力表示データＯＤに基づく画像を表示しつつ、確定した画像を表示させる位置を表示することができる。このため、ユーザは、確定した画像を表示させる位置を確認しながら、入力操作を行うことができる。【００８５】
〔第５の実施の形態〕
第５の実施の形態は、表示のメモリ性を有し、かつ、パッシブ駆動で表示の書換えを行う表示パネルを複数積層してカラー表示が可能な液晶表示素子（表示装置）、特に表示モードを複数有する液晶表示素子に関する。【００８６】
コレステリック液晶を用いた反射型表示パネルを用いた液晶表示素子は、表示のメモリ性を有するため、表示画素数が多い場合であっても、マトリクス状電極を用いたパッシブ駆動方式が可能である。また、コレステリック液晶による表示パネルを、複数積層してカラー表示が可能な反射型の液晶表示素子では、ＲＧＢカラーフィルタを用いて１枚の表示パネルでカラー表示を行う方式と比べて、明るいカラー表示が可能である。しかし、走査ライン数が多くなると、画面の表示書換えに時間がかかってしまう。このため、例えば、電子書籍端末などの用途に液晶表示素子を用いると、ページ送りが遅いという問題がある。【００８７】
本実施の形態の目的は、メモリ性を有する複数の表示パネルを積層した液晶表示素子において、画面書換え速度の切り替えを容易に行うことのできる液晶表示素子を提供することにある。【００８８】
上記目的は、マトリクス状電極を用いたメモリ性を有する複数の表示パネルを積層し、それぞれの前記表示パネルを個別にパッシブ駆動可能な表示装置において、前記各表示パネルの走査ラインを順次、選択して表示する第１の表示モードと、前記各表示パネルの走査ラインのうち、選択せずにライン走査をスキップする非選択走査ラインと選択してライン走査する選択走査ラインとを設定し、選択走査ラインのみを順次、選択して表示する第２の表示モードとを有することを特徴とする表示装置によって達成される。【００８９】
本発明の第５の実施の形態による液晶表示素子について図１３及び図１４を用いて説明する。図１３は、本実施の形態による液晶表示素子の概略構成を示すブロック図である。また、図１４は、図１３に示す図中左右方向に平行な直線Ｙ−Ｙで表示パネル６を切断した断面を模式的に示す図である。
本実施の形態に係る液晶表示素子４０１は、第１の実施の形態における液晶表示素子１と略同一の構成を備えており、一部の構成のみが第１の実施の形態と異なる。
具体的には、図１３に示すように、液晶表示素子４０１は、第１の実施の形態における表示パネル６と略同一の構成であるがそれぞれ表示色のみ異なる３枚の表示パネル６Ｂ、６Ｇ、６Ｒを備えた表示ブロック４０１ｂを有している。各表示パネル６Ｂ、６Ｇ、６Ｒは、特定の可視光を選択反射するプレーナ状態と、透明なフォーカルコニック状態とを切り替えて表示を行うコレステリック液晶を用いている。【００９０】
これら各表示パネル６Ｂ、６Ｇ、６Ｒを駆動するドライバとして、表示ブロック４０１ｂは、第１の実施の形態における第１のコモンドライバ２５Ｂ及び第２のコモンドライバ２５Ａに代えて、コモンドライバ２５Ｃを備えている。また、画像データ記憶部４０は、第１の実施の形態における入力データ記憶部４０Ａ及びメモリ表示データ記憶部４０Ｂに代えて、通常表示用データ記憶部４０Ｃ及び高速表示用データ記憶部４０Ｄを備えている。
以下、共通部分の符号を同符号とするとともに説明を省略する。【００９１】
表示モード設定部５０は、ユーザの操作に基づいて制御回路３０に表示モードの切替設定を行う。
制御回路３０は、設定された表示モード、および、画像データ記憶部４０から読出した画像データと、予め設定された駆動波形データとに基づいて駆動データを生成する。制御回路３０は、生成した駆動データＤＣをデータ取込みクロックに合わせてコモンドライバ２５Ｃ及びセグメントドライバ２７に出力するようになっている。本実施の形態における液晶表示素子４０１は、表示モードとして、通常表示モード（第１の表示モード）と、高速表示モード（第２の表示モード）とを有している。【００９２】
通常表示用データ記憶部４０Ｃは、通常表示モード時に用いるための画像データを格納する。この通常表示用データ記憶部４０Ｃは、通常表示モード時に、格納された画像データを制御回路３０に出力する。
高速表示用データ記憶部４０Ｄは、高速表示モード時に用いるための画像データを格納する。この高速表示用データ記憶部４０Ｄは、高速表示モード時に、格納された画像データを制御回路３０に出力する。【００９３】
コモンドライバ２５Ｃは、制御回路３０の制御下で、セグメントドライバ２７とともに走査電極１７及びデータ電極１９に電圧を印加することにより、各表示パネル６Ｂ、６Ｇ、６Ｒの画像表示領域Ｃを駆動させる。このコモンドライバ２５Ｃは、多値駆動あるいは２値駆動により各表示パネル６Ｂ、６Ｇ、６Ｒの画像表示領域Ｃを駆動させることができる。
コモンドライバ２５Ｃは、通常表示モード時には、各表示パネル６Ｂ、６Ｇ、６Ｒの走査電極１７を順次、選択してライン走査することにより各表示パネル６Ｂ、６Ｇ、６Ｒの画像表示領域Ｃを駆動することができる。
一方、コモンドライバ２５Ｃは、高速表示モード時には、各表示パネル６Ｂ、６Ｇ、６Ｒの走査電極１７のうち、選択せずにライン走査をスキップする非選択走査電極と選択してライン走査する選択走査電極とを設定する。これにより、コモンドライバ２５Ｃは、選択走査電極のみを順次ライン走査することにより各表示パネル６Ｂ、６Ｇ、６Ｒの画像表示領域Ｃを駆動することができる。【００９４】
次に、液晶表示素子４０１による表示動作について説明する。
制御回路３０は、先ず、画像データ記憶部４０から、３枚の表示パネル６Ｂ、６Ｇ、６Ｒに表示する画像に対応する画像データを読出す。ここで、画像データとしては、全ての走査ライン（スキャンライン）を選択する通常表示モード時の通常表示画像データＮＤと、特定のラインを選択せずにスキップする高速表示モード時の高速表示画像データＨＤとを有している。これら通常表示画像データＮＤ及び高速表示画像データＨＤは、選択された表示モードに応じて、制御回路３０がいずれかを読出すようにすると好ましい。高速表示モード時は、通常表示モード時に比べて表示解像度が低くなるため、例えば、表示モードに合わせて、解像度の異なる複数の画像データを生成しておくと良い。なお、液晶表示素子４０１は、３種類以上の表示モードを備えていても良い。【００９５】
通常表示モードでは、制御回路３０は、各表示パネル６Ｂ、６Ｇ、６Ｒについて、全画素をプレーナ状態にリセットした後、コモンドライバ２５Ｃが全ての走査ラインを順次走査し、画像表示領域Ｃを書き換えるように設定する。【００９６】
一方、高速表示モードでは、制御回路３０は、コモンドライバ２５Ｃが、予め決められた間隔で各表示パネル６Ｂ、６Ｇ、６Ｒの走査電極１７をスキップしながら、順次、走査するように設定する。このとき、コモンドライバ２５Ｃは、例えば、１つの走査電極１７を走査すると、続く２つの走査電極１７を走査しないでスキップするといった走査パターンを繰り返す。すなわち、図１４に示すように、図中（１）、（２）、（３）、（４）・・・、の順に各表示パネル６Ｂ、６Ｇ、６Ｒの各走査電極１７に対応する画素が順次表示される。走査がなされる走査電極１７は、図１４に示すように、各表示パネル６Ｂ、６Ｇ、６Ｒ毎に画像表示領域Ｃの視野方向（図中上方）から見てずれていることが好ましい。【００９７】
具体的には、高速表示モードでは先ず、制御回路３０は、赤色を表示するＲ表示パネル６Ｒの３ｎ−１および３ｎ−２（ｎ＝１、２、３、・・・）列目の走査電極１７に対応する画素をフォーカルコニック状態にした後に、３ｎ（ｎ＝１、２、３、・・・）列目の走査電極１７に対応する画素をプレーナ状態にする。
このとき、制御回路３０は、緑色を表示するＧ表示パネル６Ｇの３ｎ及び３ｎ−２（ｎ＝１、２、３、・・・）列目の走査電極１７に対応する画素をフォーカルコニック状態に、３ｎ−１（１、２、３、・・・）列目の走査電極１７に対応する画素をプレーナ状態にする。
また、このとき、制御回路３０は、青色を表示するＢ表示パネル６Ｂの３ｎ及び３ｎ−１（ｎ＝１、２、３、・・・）列目の走査電極１７に対応する画素をフォーカルコニック状態に、３ｎ−２（ｎ＝１、２、３、・・・）列目の走査電極１７に対応する画素をプレーナ状態にする。すなわち、制御回路３０は、高速表示モードでは、非選択の走査電極１７に対応する全ての画素をフォーカルコニック状態に、選択した走査電極１７に対応する全ての画素をプレーナ状態にした後に、選択した走査電極１７のライン走査を開始する。【００９８】
次に、制御回路３０は、線順次走査によって、Ｒ表示パネル６Ｒの３ｎ（ｎ＝１、２、３、・・・）列目の走査電極１７に対応する画素をプレーナ状態、フォーカルコニック状態、あるいは、この中間の状態にし、Ｇ表示パネル６Ｇの３ｎ−１（ｎ＝１、２、３、・・・）列目の走査電極１７に対応する画素をプレーナ状態、フォーカルコニック状態、あるいは、この中間の状態にし、Ｂ表示パネル６Ｂの３ｎ−２（ｎ＝１、２、３、・・・）列目の走査電極１７に対応する画素をプレーナ状態、フォーカルコニック状態、あるいは、この中間の状態にして表示を行う。【００９９】
これにより、液晶表示素子４０１は、一度の走査で、各表示パネル６Ｂ、６Ｇ、６Ｒ毎に全ての走査電極１７を走査する通常表示モードのおよそ３倍の速度で、各表示パネル６Ｂ、６Ｇ、６Ｒの表示の書換えが可能である。【０１００】
なお、引き続き高速表示モードで各表示パネル６Ｂ、６Ｇ、６Ｒの二度目の表示の書換えを行う場合には、制御回路３０は、Ｒ表示パネル６Ｒの３ｎ（ｎ＝１、２、３、・・・）列目の走査電極１７、Ｇ表示パネル６Ｇの３ｎ−１（ｎ＝１、２、３、・・・）列目の走査電極１７、及び、Ｂ表示パネル６Ｂの３ｎ−２（ｎ＝１、２、３、・・・）列目の走査電極１７に対応する画素のみを再びプレーナ状態にリセットする。このとき、制御回路３０は、プレーナ状態にした画素以外の画素は、フォーカルコニック状態を維持させる。【０１０１】
次に、制御回路３０は、線順次走査によって、Ｒ表示パネル６Ｒの３ｎ（ｎ＝１、２、３、・・・）列目の走査電極１７に対応する画素をプレーナ状態、フォーカルコニック状態、あるいは、この中間の状態にし、Ｇ表示パネル６Ｇの３ｎ−１（ｎ＝１、２、３、・・・）列目の走査電極１７に対応する画素をプレーナ状態、フォーカルコニック状態、あるいは、この中間の状態にし、Ｂ表示パネル６Ｂの３ｎ−２（ｎ＝１、２、３、・・・）列目の走査電極１７に対応する画素をプレーナ状態、フォーカルコニック状態、あるいは、この中間の状態にして表示を行う。【０１０２】
以上により、制御回路３０による二度の走査が行われる。高速表示モードでは、中間調を含む多値駆動の代わりに、２値駆動あるいは階調数を減らした駆動を行うと、さらに高速化することができる。【０１０３】
通常表示モードまたは高速表示モードにおいて、制御回路３０は、画像表示領域Ｃに対応する全ての走査電極１７を走査せずに、画像表示領域Ｃの一部の領域のみに対応する走査電極１７のみ走査するようにコモンドライバ２５Ｃ及びセグメントドライバ２７を制御してもよい。【０１０４】
各表示パネル６Ｂ、６Ｇ、６Ｒに画像をメモリ表示させる場合は、制御回路３０は、ライン走査を１回あるいは複数回行った後、ライン走査を終了する。【０１０５】
本実施の形態によれば、液晶表示素子４０１は、各表示パネル６Ｂ、６Ｇ、６Ｒの走査電極１７を順次、選択して画像を表示する通常モードと、各表示パネル６Ｂ、６Ｇ、６Ｒの走査電極１７のうち、選択せずにライン走査をスキップする走査電極１７と選択してライン走査する走査電極１７とを設定し、選択した走査電極１７のみを順次、選択して画像を表示する高速表示モードとを有している。これにより、液晶表示素子４０１は、通常モードと高速表示モードとが切り替わることにより、コモンドライバ２５Ｃがライン走査する走査電極１７を変えることができる。このため、メモリ性を有する複数の表示パネル６Ｂ、６Ｇ、６Ｒを積層していても、画面書換え速度の切り替えを容易に行うことができる。また、例えば、液晶表示素子４０１を電子書籍端末等に用いた場合に、ページ送り速度を速めることができる。例えば、高速表示モードでは、ライン走査時、例えば、ライン走査をスキップする非選択の走査電極１７を１本おきに設けることで、ライン走査時間を半分の時間にすることができる。また、ライン走査をスキップする２本の非選択の走査電極１７と、１本の選択する走査電極１７とを交互に設定することにより、ライン走査時間を１／３の時間にすることができる。【０１０６】
図１５は、本実施の形態による液晶表示素子４０１を備えた電子機器としての表示端末を示す平面図である。
液晶表示素子４０１を備えた表示端末６０は、例えば、ページ送りキーとして、通常送り／戻しキー６１と、早送り／戻しキー６２との２種類を備えている。
通常送り／戻しキー６１は、標準表示モードによる画像の書き換えがなされる。
一方、早送り／戻しキー６２は、高速表示モードによる画像の書き換えがなされる。【０１０７】
ユーザは、表示端末６０に表示されている画像を前後のページの画像に書換える際に、通常送り／戻しキー６１と、早送り／戻しキー６２とのいずれか一方を操作する。これにより、ユーザは、前後のページの画像を標準表示モードで表示させるのか、高速表示モードで表示させるのかを選択することができる。【０１０８】
（実施例）
以下、液晶表示素子４０１の標準表示モードと高速表示モードとで画像を表示した実施例について説明する。
本実施例に係る液晶表示素子４０１は、各表示パネル６Ｂ、６Ｇ、６Ｒの画素数が４８０×６４０ドット（走査ライン数４８０ライン）に設けられている。
各表示パネル６Ｂ、６Ｇ、６Ｒに画像を標準表示モードで表示させる際には、制御回路３０は、ライン走査に先立って、先ず、全画素に電圧３６Ｖ、電圧印加時間５０ｍｓの駆動パルスを印加してプレーナ状態にする。これにより、各表示パネル６Ｂ、６Ｇ、６Ｒの表示がリセットされる。【０１０９】
次に、制御回路３０は、各表示パネル６Ｂ、６Ｇ、６Ｒにおける４８０本の走査電極１７を順次走査し、フォーカルコニック状態へと変化させる画素に対して、電圧２４Ｖ、電圧印加時間５ｍｓの駆動パルスを印加させる。これにより、各表示パネル６Ｂ、６Ｇ、６Ｒに画像が表示される。ここで、各表示パネル６Ｂ、６Ｇ、６Ｒの標準表示モード時における画像の表示動作の所要時間は、およそ２．５秒間であった。【０１１０】
一方、各表示パネル６Ｂ、６Ｇ、６Ｒに画像を高速表示モードで表示させる際には、制御回路３０は、Ｒ表示パネル６Ｒの走査電極１７の３ｎ（ｎ＝１、２、３、・・・、１６０）列目の走査電極１７に対応する画素、Ｇ表示パネル６Ｇの走査電極１７の３ｎ−１（ｎ＝１、２、３、・・・、１６０）列目の画素、及び、Ｂ表示パネル６Ｂの走査電極１７の３ｎ−２（ｎ＝１、２、３、・・・、１６０）列目の画素に電圧３６Ｖ、電圧印加時間５０ｍｓの駆動パルスを印加する。同時に、制御回路３０は、各表示パネル６Ｂ、６Ｇ、６Ｒにおける残りの走査電極１７の画素に電圧２４Ｖ、電圧印加時間５０ｍｓの駆動パルスを印加させる。これにより、Ｒ表示パネル６Ｒの走査電極１７の３ｎ（ｎ＝１、２、３、・・・、１６０）列目の画素、Ｇ表示パネルの走査ラインの３ｎ−１（（ｎ＝１、２、３、・・・、１６０）列目の画素、及び、Ｂ表示パネル６ｂの走査電極１７の３ｎ−２（ｎ＝１、２、３、・・・、１６０）列目の画素がプレーナ状態となり、各表示パネル６Ｂ、６Ｇ、６Ｒの残りの画素がフォーカルコニック状態となる。【０１１１】
引き続き、制御回路３０は、Ｒ表示パネル６Ｒの走査電極１７の３ｎ (ｎ＝１、２、３、・・・、１６０)列目、Ｇ表示パネル６Ｇの走査電極１７の３ｎ−１（ｎ＝１、２、３、・・・、１６０）列目、及び、Ｂ表示パネル６Ｂの走査電極１７の３ｎ−２（ｎ＝１、２、３、・・・、１６０）列目のみを順次走査し、プレーナ状態からフォーカルコニック状態へと変化させる画素に対して、電圧２４Ｖ、電圧印加時間５ｍｓの駆動パルスを印加して各表示パネル６Ｂ、６Ｇ、６Ｒに画像を表示させる。ここで、各表示パネル６Ｂ、６Ｇ、６Ｒの高速表示モード時における画像の表示動作の所要時間は、およそ０．８５秒間であった。すなわち、液晶表示素子４０１は、高速表示モードで動作することにより、４８０本の全ての走査電極１７を順次走査する標準表示モードと比べて、およそ１／３の時間で画像を表示することができる。【０１１２】
以上、実施形態に基づいて本発明を説明したが、本発明は、上記実施の形態に限らず種々の変形が可能である。
第５の実施の形態では、液晶表示素子４０１は、画像表示領域Ｃをデータ表示領域Ａとメモリ表示領域Ｂとに分割しないで画像表示領域Ｃ全体を一律の駆動方法で駆動しているが、本発明はこれに限られない。液晶表示素子は、画像表示領域をデータ表示領域とメモリ表示領域とに分割し、例えば、データ入力がなされる際に、データ表示領域に高速表示モードを適用してもよい。【０１１３】
また、第１の実施の形態に係る液晶表示素子１では、データ表示領域Ａがメモリ表示することによりメモリ表示領域Ｂと一体で画像をメモリ表示可能に設けられているが、本発明はこれに限られない。データ表示領域Ａは、メモリ表示領域Ｂと一体で画像をメモリ表示することなく、入力データに基づく画像のみ表示する構成としても良い。この構成では、メモリ表示領域Ｂが多値表示されている場合であっても、データ表示領域Ａは黒色又は緑色の２値表示がなされる。【０１１４】
このとき、データ表示領域Ａに対応する走査電極１７の配列ピッチ（画素ピッチ）と、メモリ表示領域Ｂに対応する走査電極１７の配列ピッチ（画素ピッチ）とが異なっていても良い。具体的には、データ表示領域Ａ側の配列ピッチをメモリ表示領域Ｂ側よりも大きくすることにより、データ表示領域Ａに対応する走査電極１７を走査する時間の総計を短くしても良い。例えば、メモリ表示領域Ｂに対応する走査電極１７の配列ピッチを１５０μｍとし、データ表示領域Ａに対応する走査電極１７の配列ピッチを３００μｍとすると、データ表示領域Ａに表示された画像の書換速度をメモリ表示領域Ｂに表示された画像の書換速度よりも２倍速くすることができる。【０１１５】
さらに、第１の実施の形態に係る液晶表示素子１では、緑色を表示する表示パネル６を用いているが、本発明はこれに限られない。液晶表示素子に用いられる表示パネルとしては、青色を表示する表示パネルや赤色を表示する表示パネル等、緑色以外の色を表示する表示パネルであってもよい。【０１１６】
さらにまた、上記実施の形態では、タッチパネルによりデータを入力する操作部４２を用いているが、本発明はこれに限られない。データを入力できれば、テンキーによる入力、キーボード入力、超音波や磁力等を用いたペン入力等、その他の操作部と組み合わせることができる。【０１１７】
また、上記実施の形態では、１枚の表示パネルにより単色を表示可能な液晶表示素子、及び、３枚の表示パネルが積層されてカラー表示が可能な液晶表示素子を用いているが、本発明はこれに限られない。表示パネルの枚数は、２枚や４枚等その他の枚数であってもよい。【０１１８】
さらに、上記実施の形態では、画像表示領域Ｃを２つ、あるいは、３つの領域に縦方向に配列して分割しているが、本発明はこれに限られない。画像表示領域が分割されていれば、さらに細かく分割されていてもよく、また、分割された各領域が横方向に配列されていてもよい。【０１１９】
さらにまた、上記実施の形態では、２値駆動と多値駆動とによる２つの速度のライン走査速度でライン走査しているが、本発明はこれに限られない。液晶表示素子は、ライン走査速度が複数の速度の間で切り替われば、３つ以上の速度のライン走査速度で切り替えてライン走査してもよい。【０１２０】
また、上記実施の形態では、画像表示領域Ｃの一部の領域のみライン走査速度を切り替えているが、本発明はこれに限られない。画像表示領域の全領域のライン走査速度を異なる速度に切り替えてもよい。
【産業上の利用可能性】
【０１２１】
パッシブ駆動方式で画面の表示書換えを行い、キー入力やタッチパネルを用いたペン入力が可能な表示装置に適用できる。
【図１】
2009087756.tif 000003
【図２】
2009087756.tif 000004
【図３】
2009087756.tif 000005
【図４】
2009087756.tif 000006
【図５】
2009087756.tif 000007
【図６】
2009087756.tif 000008
【図７】
2009087756.tif 000009
【図８】
2009087756.tif 000010
【図９】
2009087756.tif 000011
【図１０】
2009087756.tif 000012
【図１１】
2009087756.tif 000013
【図１２】
2009087756.tif 000014
【図１３】
2009087756.tif 000015
【図１４】
2009087756.tif 000016
【図１５】
2009087756.tif 000017
【図１６】
2009087756.tif 000018
【図１７】
2009087756.tif 000019
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
第１の表示データを表示するメモリ性を有する第１の表示領域と、
前記第１の表示領域と隣り合い、第２の表示データを表示する第２の表示領域とを有し、
前記第１の表示領域と前記第２の表示領域を同一の表示パネルに含む
ことを特徴とする表示装置。
【請求項２】
前記第２の表示データを前記第２の表示領域に表示するための入力手段をさらに有すること
を特徴とする請求項１記載の表示装置。
【請求項３】
前記第１の表示領域と前記第２の表示領域が、同一のコレステリック液晶を用いていること
を特徴とする請求項１記載の表示装置。
【請求項４】
前記第２の表示データを表示する場合に前記第２の表示領域を駆動状態とする制御回路をさらに有すること
を特徴とする請求項３記載の表示装置。
【請求項５】
第１の表示データを表示するメモリ性を有する第１の表示領域が第１の駆動条件で動作し、
前記第１の表示領域と隣り合い、第２の表示データを表示する第２の表示領域が第２の駆動条件で動作する
ことを特徴とする表示装置の駆動方法。
【請求項６】
前記第１の駆動条件は、少なくとも前記第１の表示領域をメモリ状態として表示する条件であって、前記第２の駆動条件は、前記第２の表示領域の表示を随時変える書換状態とする条件であること
を特徴とする請求項５記載の表示装置の駆動方法。
【請求項７】
前記第２の表示領域に、前記第２のデータに基づく画像を表示させる際に、前記第１の表示領域または／および前記第２の表示領域を再表示すること
を特徴とする請求項６記載の表示装置の駆動方法。
【請求項８】
前記第２の駆動条件における表示速度は、前記第１の駆動条件における表示速度よりも速いこと
を特徴とする請求項５記載の表示装置の駆動方法。
【請求項９】
マトリクス状電極を用いたメモリ性を有する複数の表示パネルを積層し、それぞれの前記表示パネルを個別にパッシブ駆動可能な表示装置において、
前記各表示パネルの走査ラインを順次、選択して表示する第１の表示モードと、
前記各表示パネルの走査ラインのうち、選択せずにライン走査をスキップする非選択走査ラインと選択してライン走査する選択走査ラインとを設定し、選択走査ラインのみを順次、選択して表示する第２の表示モードとを有する
ことを特徴とする表示装置。
【請求項１０】
前記第２の表示モードでは、少なくとも前記非選択走査ラインに対応する全ての画素を同一の表示状態に揃えた後に、前記選択走査ラインのライン走査を開始すること
を特徴とする請求項９記載の表示装置。
【国際調査報告】
2009087756.tif 000020
2009087756.tif 000021
2009087756.tif 000022
2009087756.tif 000023
2009087756.tif 000024
2009087756.tif 000025
2009087756.tif 000026
2009087756.tif 000027